(57)【要約】【課題】  光電変換後のアンプの光信号受信レベル依存性を考慮して、更なるエラーレートの低減を実現し得る、イコライザ制御装置等を提供する。【解決手段】  コントローラ９は、光信号が変換されて成る電気信号の波形補正を行うイコライザに対してフィルタパラメータ値を設定するものであって、受信レベル入力手段９１、フィルタパラメータ値決定手段９２及びフィルタパラメータ値出力手段９３を備えている。受信レベル入力手段９１は、光信号の受信レベルを入力する。フィルタパラメータ値決定手段９２は、受信レベル入力手段９１で入力された受信レベルに応じて、フィルタパラメータ値を決定する。フィルタパラメータ値出力手段９３は、フィルタパラメータ値決定手段９２で決定されたフィルタパラメータ値を、イコライザへ出力する。【選択図】  図１
2007243802.tif 000002
【特許請求の範囲】
【請求項１】
光信号が変換されて成る電気信号の波形補正を行うイコライザに対してフィルタパラメータ値を設定するイコライザ制御装置において、
前記光信号の受信レベルを入力する受信レベル入力手段と、
この受信レベル入力手段で入力された前記受信レベルに応じて前記フィルタパラメータ値を決定するフィルタパラメータ値決定手段と、
このフィルタパラメータ値決定手段で決定されたフィルタパラメータ値を前記イコライザへ出力するフィルタパラメータ値出力手段と、
を備えたことを特徴とするイコライザ制御装置。
【請求項２】
前記フィルタパラメータ値決定手段は、前記受信レベルが閾値以上であれば第一のフィルタパラメータ値に決定し、前記受信レベルが前記閾値未満であれば第二のフィルタパラメータ値に決定する、
ことを特徴とする請求項１記載のイコライザ制御装置。
【請求項３】
前記イコライザと、請求項１又は２記載のイコライザ制御装置と、前記イコライザによって波形補正された伝送信号のエラーを検出するエラー検出手段と、を備えた信号伝送システムであって、
前記イコライザ制御装置は、前記受信レベルに応じて前記フィルタパラメータ値を決定した後、前記エラー検出手段によって前記エラーが検出されると前記フィルタパラメータ値を変更し、かつ前記エラーが検出されなくなるまで前記フィルタパラメータ値を変更することを繰り返す、
ことを特徴とする信号伝送システム。
【請求項４】
前記エラーが検出されると変更される前記フィルタパラメータ値は、前記受信レベルに応じて決定された前記フィルタパラメータ値に対応する、
ことを特徴とする請求項３記載の信号伝送システム。
【請求項５】
前記エラー検出手段が検出する前記エラーは、8B/10Bエラーである、
ことを特徴とする請求項３又は４記載の信号伝送システム。
【請求項６】
光信号が変換されて成る電気信号の波形補正を行うイコライザに対してフィルタパラメータ値を設定するイコライザ制御方法において、
前記光信号の受信レベルを入力し、入力した前記受信レベルに応じて前記フィルタパラメータ値を決定し、決定した前記フィルタパラメータ値を前記イコライザへ出力する、
ことを特徴とするイコライザ制御方法。
【請求項７】
光信号が変換されて成る電気信号の波形補正を行うイコライザに対してフィルタパラメータ値を設定するイコライザ制御プログラムにおいて、
前記光信号の受信レベルを入力する受信レベル入力手段と、
この受信レベル入力手段で入力された前記受信レベルに応じて前記フィルタパラメータ値を決定するフィルタパラメータ値決定手段と、
このフィルタパラメータ値決定手段で決定されたフィルタパラメータ値を前記イコライザへ出力するフィルタパラメータ値出力手段と、
をコンピュータに機能させることを特徴とするイコライザ制御プログラム。
【発明の詳細な説明】
【技術分野】
【０００１】
本発明は、光回線を使用した移動通信無線システムなどの信号伝送システムに用いられ、例えば光モジュールの受信段（Ｏ／Ｅ）と直並列変換を行う直並列変換器との間に搭載されるイコライザに対して、そのフィルタパラメータ値を制御する装置等に関する。
【背景技術】
【０００２】
光回線を利用した移動通信無線システムの一例を、図８を参照して説明する。近年、光通信において、１０Ｇｂｉｔｓイーサネット（登録商標）など高伝送容量化に伴い、高速差動シリアルラインの電気特性劣化が問題になってきている。その対処方法として、光モジュール７のＯ／Ｅ部７ａと直並列変換器１０ａとの間にイコライザ８を入れ波形を補正することで、エラーレートの増加を防止している。現在、イコライザ８による波形補正方法としては、主に適応等化フィルタとハイパスフィルタの使用が考えられる。
【０００３】
しかしながら、適応等化フィルタは、入力波形の補正度はかなり良いが、回路規模が大きくコスト高である、及び、波形が安定するまでのトレーニング領域数バイトが必要なため遅延量が大きい、という欠点がある。一方、ハイパスフィルタでは、カットオフ周波数を固定とするため、光モジュールのマルチベンダー化を考えた場合、電気特性が個々に異なるので、最適なフィルタ値で波形補正ができなく、エラーレートの増大に繋がる、という欠点がある。
【０００４】
そこで、安価で遅延量の少ないフィルタを使用し、エラーレートを低減する技術が要望されている。そのような技術として、特許文献１には、通常エラーになるデータを極力回復させ、かつエラーレートの低減を実現することが可能な、光回線を利用した移動通信無線システム（以下「従来技術」という。）が開示されている。
【０００５】
この従来技術の信号伝送システムについて、包括的な構成を図８に基づいて説明する。
【０００６】
図８を参照すると、信号伝送システムは、上位装置（図示せず）との間でデータの送受信を行う無線基地局１’と、携帯電話とデータの送受信を行う送受信機２と、その間を中継する光ファイバ３とを備える。
【０００７】
上り回線は、送受信機２のアンテナ２０からの受信データに対しＤ／Ａ変換、逆拡散、ＲＡＫＥ合成等の処理を行う無線部４と、無線部４からのデータに対し多重分離、並直列変換（8B/10B変換）等を行う信号処理部５とを備える。更にシリアル化されたデータの形態を電気から光に変換する光モジュール６のＥ／Ｏ部６ａと、光ファイバ３からの光の形態のデータを電気の形態のデータに変換する光モジュール７のＯ／Ｅ部７ａと、電気の形態のデータの波形を最適化するためのイコライザ８とを備える。更に、イコライザ８のフィルタパラメータ値を設定するコントローラ９’と、イコライザ８からのシリアルデータをパラレルデータに変換する直並列変換器１０ａと、10B/8B変換等のデータ処理を行うベースバンド信号処理部１１とを備える。
【０００８】
下り回線は、8B/10B変換等のデータ処理を行うベースバンド信号処理部１１からのパラレルデータをシリアルデータに変換する並直列変換器１０ｂと、並直列変換器１０ｂからのシリアルデータの形態を電気から光に変換する光モジュール７のＥ／Ｏ部７ｂとを備える。更に、光ファイバ３からの光の形態のデータを電気の形態のデータに変換する光モジュール６のＯ／Ｅ部６ｂと、直並列変換、データの多重分離、10B/8B変換等を行う信号処理部５と、変調拡散、Ａ／Ｄ変換、増幅などを行う無線部４とを備える。なお、8B/10B変換とは、直流成分を減少させるための８ビットパターンから１０ビットパターンの変換であり、10B/8B変換とはその逆の変換である。
【０００９】
次に、エラー発生に対応するための詳細構成について、図９を用いて説明する。
【００１０】
イコライザ８のフィルタパラメータ値の切り替えは、直並列変換器１０ａからの出力信号から、エラー検出をしたときに、フラグER_DET５２をセットする8B/10Bエラー検出器５１と、ER_DET５２を検知し、イコライザ８のフィルタパラメータ値を設定するためのパラメータ制御部５３’と、設定レジスタ５４とが連携して行う。なお、8B/10Bエラー検出とは、あり得ない１０ビットパターンを検出したときに、エラーが発生していると判断するものである。
【００１１】
データ再送において、エラー発生時データ出力の停止指令を行うCONT_DATOFF制御部５５と、ベースバンド信号処理部１１からのデータ出力を停止させるDATOFF機能部５６と、信号処理部５にデータの停止及び再送を要求するデータ転送停止／再送要求制御部５７と、その停止再送要求を受信し指令を行うデータ転送停止／再送指令制御部５８と、データを記憶しておくＲＡＭ部５９とで構成される。
【００１２】
次に、波形補正を実施する動作を、図９のブロック図及び図１０のフローチャートを用いて説明する。
【００１３】
まず、移動通信無線システム装置の電源オン又はリセットを実施すると（ステップ２０１）、コントローラ９’が光モジュール６内部に搭載されているメモリより、品名、ベンダー等の種別読み込みを実施する（ステップ２０２）。その後、コントローラ９’が、各々光モジュール６の電気出力特性に対応した固有のフィルタパラメータ値を、イコライザ８の設定レジスタ５４に初期設定を行う（ステップ２０３）。
【００１４】
移動通信無線システム装置の送受信の動作開始後（ステップ２０４）、8B/10Bエラー検出器５１にて8B/10Bエラーが発生しない場合は（ステップ２０５）、通常モードになる（ステップ２０６）。
【００１５】
8B/10Bエラーが発生した場合は（ステップ２０５）、まず、コントローラ９’がER_DET５２を検知後、CONT_DATOFF制御部５５からDATOFF機能部５６にデータ出力停止を行い（ステップ２０７）、これと同時に、コントローラ９’からデータ転送停止／再送要求制御部５７にデータ転送停止要求を行う（ステップ２０８）。停止要求のデータは、下り回線ユーザーデータの空き領域に挿入されて、光ファイバ３を通してデータ転送停止／再送指令制御部５８にて受信される。ＲＡＭ部５９はデータ停止要求を受け、ＲＧ（リードゲート）がネゲートされ、データ出力停止となる。
【００１６】
続いて、ER_DET５２を検知したパラメータ制御部５３’が、イコライザ８の設定レジスタ５４にフィルタパラメータ値Ｋ（ｉ）の変更をかけるよう指令する（ステップ２０９）。書き込み後、前述のデータ停止要求と同様のシーケンスでデータ転送停止／再送要求制御部５７にデータ再送要求を行い（ステップ２１０）、再送要求のデータは信号処理部５のデータ転送停止／再送指令制御部５８にて受信される。ＲＡＭ部５９はデータ再送要求を受け、ＲＧ（リードゲート）がアサートされ、データ再送開始される（ステップ２１１）。
【００１７】
データ再送のリミット回数をｎ回、用意したフィルタパラメータ値数をｉ個としたとき、ｎ＜ｉ中に8B/10Bエラーが発生しなければ（ステップ２１１）、通常モードに入り、DATOFF機能部５６からのデータの出力を再開する（ステップ２０６）。8B/10Bエラーが発生した場合（ステップ２１１）、フィルタパラメータ値を変更し、再書き込み行うため、データ出力停止へ戻り（ステップ２０７）、ｎ＝ｉになっても、8B/10Bエラー１０５が発生したならば（ステップ２１１）、データ再送を中断し、上位にアラームを上げる（ステップ２１２）。
【００１８】
この従来技術によれば、最小規模の波形補正回路の構成で、伝送遅延量が小さく、低コスト化とエラーレートの低減が実現できる。その理由は、イコライザに回路規模の大きい適応等化フィルタを使用せず、安価なフィルタを用いる。併せて、光モジュールの電気出力特性（アイパターン特性）が品名毎、ベンダー毎に固有の特性を持つことを利用し、それに適応させた最適なフィルタ値を設定させるからである。また、再送リトライ方式を適用したことで、更なるエラーレートの低減が可能である。その理由は、最適と想定される初期フィルタパラメータ値と、ノイズやインピーダンスマッチングによる電気特性の劣化をある程度想定した数個のフィルタパラメータ値との中から、再送リトライによって最適な値を選択させるためである。
【００１９】
【特許文献１】特開２００４−２７４５８５号公報
【発明の開示】
【発明が解決しようとする課題】
【００２０】
一般に、光電変換後のアンプにおいて、光受信パワーのレベルに対してＡＧＣ機能（出力を一定にする機能）が変化する固有の閾値が存在することにより、その閾値の上下で電気特性が異なる傾向がある。よって、光ファイバを通した出力パワーがその閾値に対して大きいか小さいかによって、設置条件等の影響も合わせてエラーが発生する可能性がある。しかしながら、従来技術では、このことが考慮されていないため、エラーレートの低減が不十分であった。
【００２１】
そこで、本発明の目的は、光電変換後のアンプの光信号受信レベル依存性を考慮して、更なるエラーレートの低減を実現し得る、イコライザ制御装置等を提供することにある。
【課題を解決するための手段】
【００２２】
本発明に係るイコライザ制御装置は、光信号が変換されて成る電気信号の波形補正を行うイコライザに対してフィルタパラメータ値を設定するものであって、受信レベル入力手段、フィルタパラメータ値決定手段及びフィルタパラメータ値出力手段を備えている。受信レベル入力手段は、光信号の受信レベルを入力する。フィルタパラメータ値決定手段は、受信レベル入力手段で入力された受信レベルに応じて、フィルタパラメータ値を決定する。フィルタパラメータ値出力手段は、フィルタパラメータ値決定手段で決定されたフィルタパラメータ値を、イコライザへ出力する。
【００２３】
電気信号のアンプの特性は、光信号の受信レベルに依存する。そのため、電気信号の波形補正を行うイコライザのフィルタパラメータ値を、光信号の受信レベルに応じて決定する。受信レベルとフィルタパラメータ値との対応関係は、アンプの特性や設置条件等によって異なり、予め理論的又は実験的にエラーレートが最も低くなるように定められている。例えば、受信レベルのある閾値を境にアンプが異なる特性を有する場合は、受信レベルが閾値以上であれば第一のフィルタパラメータ値に決定し、受信レベルが閾値未満であれば第二のフィルタパラメータ値に決定する。第一及び第二のフィルタパラメータ値の相違は、例えば高域側を強調するとか、低域側を強調するとかの度合いの相違である。
【００２４】
本発明に係る信号伝送システムは、イコライザと、本発明に係るイコライザ制御装置と、イコライザによって波形補正された伝送信号のエラーを検出するエラー検出手段と、を備えている。そして、イコライザ制御装置は、受信レベルに応じてフィルタパラメータ値を決定した後、エラー検出手段によってエラーが検出されるとフィルタパラメータ値を変更し、かつエラーが検出されなくなるまでフィルタパラメータ値を変更することを繰り返す。
【００２５】
例えば、エラー検出によって変更されるフィルタパラメータ値は、受信レベルに応じて決定された最初のフィルタパラメータ値に対応する。ここで、受信レベルに応じて決定されるフィルタパラメータ値をＡ，Ｂとする。受信レベルに応じて決定された最初のフィルタパラメータ値がＡであったとき、エラー検出によって変更されるフィルタパラメータ値は例えばＡ１，Ａ２，Ａ３，Ａ４，Ａ５である。つまり、Ａ１〜Ａ５は、Ａが決定されたときにのみ使用される。同様に、受信レベルに応じて決定された最初のフィルタパラメータ値がＢであったとき、エラー検出によって変更されるフィルタパラメータ値は例えばＢ１，Ｂ２，Ｂ３，Ｂ４，Ｂ５である。つまり、Ｂ１〜Ｂ５は、Ｂが決定されたときにのみ使用される。わかりやすくするために、Ａは高域側を強調する値であり、Ｂは低域側を強調する値であるとする。このとき、Ａ１〜Ａ５は高域側を強調する度合いが少しずつ異なり、Ｂ１〜Ｂ５は低域側を強調する度合いが少しずつ異なる。
【００２６】
本発明に係るイコライザ制御方法は、光信号が変換されて成る電気信号の波形補正を行うイコライザに対してフィルタパラメータ値を設定する際に、光信号の受信レベルを入力し、入力した受信レベルに応じてフィルタパラメータ値を決定し、決定したフィルタパラメータ値をイコライザへ出力することを特徴とする。
【００２７】
本発明に係るイコライザ制御プログラムは、光信号が変換されて成る電気信号の波形補正を行うイコライザに対してフィルタパラメータ値を設定するものであって、受信レベル入力手段、フィルタパラメータ値決定手段及びフィルタパラメータ値出力手段としてコンピュータを機能させるためのものである。ここで、受信レベル入力手段は、光信号の受信レベルを入力する。フィルタパラメータ値決定手段は、受信レベル入力手段で入力された受信レベルに応じて、フィルタパラメータ値を決定する。フィルタパラメータ値出力手段は、フィルタパラメータ値決定手段で決定されたフィルタパラメータ値を、イコライザへ出力する。
【００２８】
また、本発明は、次のように構成してもよい。（１）．光回線を使用した高速シリアルラインの波形補正を行うシステム装置において、光受信パワーに対する閾値前後の電気特性に適応した最適なフィルタパラメータ値を用意し、設定してシステム動作させることを特徴とする。（２）．（１）において、8B/10Bエラーが発生したときに、予め数個用意しているイコライザのフィルタパラメータ値を変更し再送後、エラーを回復させる再送リトライ方式を有する回路を特徴とする。（３）．（１）において、光モジュールの故障などによるLOSエラー誤検出時に8B/10Bエラー発生しない場合でも不安定なデータをストップさせることを特徴とする。（４）．（１）において、8B/10Bエラー発生により通常イコライズシーケンスを実行するところ、LOSエラー検出により、イコライズしないことを特徴とする。（５）．（１）において、イコライザは安価なハイパスフィルタを使用し回路規模を削減する回路を特徴とする。（６）．（１）において、イコライザは適応等化フィルタを使用し、数個を固定タップ化することで、遅延量を極力小さくする回路を特徴とする。（７）．（２）において、イコライザのフィルタパラメータ値を想定される最適なフィルタパラメータ値から順次再送リトライを実施し、早期にエラーを回復させることを特徴とする。
【発明の効果】
【００２９】
本発明によれば、光信号の受信レベルに応じてイコライザのフィルタパラメータ値を設定することにより、光電変換後のアンプの光信号受信レベル依存性を考慮した更なるエラーレートの低減を実現できる。
【００３０】
換言すると、第1の効果は、最小規模の波形補正回路の構成で、エラーレートの向上が実現できる。その理由は、光モジュールの電気出力特性（アイパターン特性）について、光受信パワーに対する閾値前後で、固有の特性を持つことを利用し、それに適応させた最適なフィルタ値を設定するからである。また、イコライザに回路規模の大きい適応等化フィルタを使用せず、安価なフィルタを用いることで低コスト化も図れる。第２の効果は、再送リトライ方式とLOS検出機能とを併合適用したことで、更なるエラーレートの改善が可能である。その理由は、最適と想定される初期フィルタパラメータ値と、ノイズやインピーダンスマッチングによる電気特性の劣化をある程度想定した数個のフィルタパラメータ値との中から、再送リトライによって最適なフィルタパラメータ値を選択するためである。また、光モジュールの故障などでLOS誤検出し8B/10Bエラーしない場合でも不安定なデータと判断しデータ送信オフさせることができるからである。
【発明を実施するための最良の形態】
【００３１】
図１は、本発明に係るイコライザ制御装置の一実施形態を示すブロック図である。以下、この図面に基づき説明する。
【００３２】
本実施形態のイコライザ制御装置としてのコントローラ９は、光信号が変換されて成る電気信号の波形補正を行うイコライザ８（図２）に対してフィルタパラメータ値を設定するものであって、受信レベル入力手段９１、フィルタパラメータ値決定手段９２及びフィルタパラメータ値出力手段９３を備えている。受信レベル入力手段９１は、光信号の受信レベルを入力する。フィルタパラメータ値決定手段９２は、受信レベル入力手段９１で入力された受信レベルに応じて、フィルタパラメータ値を決定する。フィルタパラメータ値出力手段９３は、フィルタパラメータ値決定手段９２で決定されたフィルタパラメータ値を、イコライザ８へ出力する。
【００３３】
電気信号のアンプは、例えば光モジュール７（図２）に内蔵されている。その電気信号のアンプの特性は、光信号の受信レベルに依存する。そのため、電気信号の波形補正を行うイコライザ８のフィルタパラメータ値を、光信号の受信レベルに応じて決定する。受信レベルとフィルタパラメータ値との対応関係は、アンプの特性や設置条件等によって異なり、予め理論的又は実験的にエラーレートが最も低くなるように定められている。
【００３４】
例えば、受信レベルの閾値Ｌｔｈ（例えば14.7ｄＢｍ）を境にアンプが異なる特性を有する場合は、受信レベルＬが閾値Ｌｔｈ以上であれば（すなわちＬ≧Ｌｔｈ）フィルタパラメータ値Ａに決定し、受信レベルＬが閾値Ｌｔｈ未満であれば（すなわちＬ＜Ｌｔｈ）フィルタパラメータ値Ｂに決定する。フィルタパラメータ値Ａ，Ｂの相違は、例えば高域側を強調するとか、低域側を強調するとかの度合いの相違である。
【００３５】
なお、受信レベル入力手段９１、フィルタパラメータ値決定手段９２及びフィルタパラメータ値出力手段９３は、コントローラ９に含まれるマイクロコンピュータ及びそのプログラムによって実現してもよいし、ＩＣ等のハードウェアによって実現してもよい。
【００３６】
また、図１に示す各手段の動作を工事関係者が行うようにしてもよい（すなわち本発明に係るイコライザ制御方法の一実施形態）。つまり、工事関係者は、装置起動前にパワーメータ測定器で光量（受信レベル）を測定し、その値に応じてフィルタパラメータ値を決定し、そのフィルタパラメータ値をコントローラへ入力する。
【００３７】
図２は、図１のイコライザ制御装置を用いた信号伝送システムの第一実施形態を示すブロック図である。以下、この図面に基づき説明する。
【００３８】
本実施形態の信号伝送システムは、上位装置（図示せず）に対してデータのアクセスを行う無線基地局１と、携帯電話に対してデータの送受信を行う送受信機２と、送受信機２と無線基地局１との間を中継する光ファイバ３と、によって構成される。
【００３９】
上り回線は、送受信機２のアンテナ２０からの受信データに対してＤ／Ａ変換処理等を行う無線部４と、無線部４からのデータに対して多重分離、パラレルシリアル変換等を行う信号処理部５と、シリアル化されたデータに対して電気信号から光信号に変換する光モジュール６のＥ／Ｏ部６ａと、光ファイバ３から入力した光信号を電気信号に変換する光モジュール７のＯ／Ｅ部７ａと、電気信号に変換された波形を最適化するためのイコライザ８と、イコライザ８のフィルタパラメータ値を設定するコントローラ９と、イコライザ８からのシリアルデータをパラレルデータに変換する直並列変換器１０ａと、データ処理を行うベースバンド信号処理部１１と、によって構成される。
【００４０】
下り回線は、データ拡散、データ多重分離などを行うベースバンド信号処理部１１からのパラレルデータをシリアルデータに変換する並直列変換器１０ｂと、並直列変換器１０ｂからのシリアルデータを電気信号から光信号に変換する光モジュール７のＥ／Ｏ部７ｂと、光ファイバ３を通じて入力した光信号を電気信号に変換する光モジュール６のＯ／Ｅ部６ｂと、シリアルパラレル変換、データの多重分離等を行う信号処理部５と、Ａ／Ｄ変換、増幅などを行う無線部４と、によって構成される。
【００４１】
本実施形態の信号伝送システムは、無線基地局１と遠方に設置されている送受信機２との間で、光ファイバ３を介して光伝送を行うものである。そして、光モジュール７のＯ／Ｅ部７ａとシリアルパラレル変換を行う直並列変換器１０ａとの間に、受信段イコライザ８が置かれている。本実施形態では、光モジュール７に内蔵されるアンプの電気特性に適合した最適なフィルタパラメータ値を、予めイコライザ８のレジスタに初期設定することを特徴としている。
【００４２】
一般に、光電変換後のアンプは、光信号の受信レベルに依存してＡＧＣ機能が変化する。つまり、受信レベルに対する固有の閾値が存在し、その閾値の上下でアンプの電気特性が異なる。そのため、光ファイバ３を通して得た受信レベルがその閾値に対して大きいか小さいかによって、設置条件等の影響も合わせてエラーが発生する可能性がある。そこで、本実施形態では、受信レベルの閾値上下でアンプの電気特性が異なることを想定した最適なフィルタパラメータ値を、イコライザ８に設定することにより、予めエラーを回避することが可能となる。
【００４３】
また、基板ノイズや光特性のジッタ悪化などが原因でエラーが発生した場合は、フィルタパラメータ値を自動的に切換えてデータの再送信を繰り返すことにより、最適なフィルタパラメータ値を選択することができる（再送リトライ方式）。その結果、通常エラーになるデータを極力回復できるので、エラーレートの向上を実現できる。
【００４４】
更に、光モジュール７の故障などで光信号の受信レベルが低下することを検出するLOS_DET６０において、LOSエラーを検出すると、8B/10Bエラーがない場合でも不安定なデータと判断しデータ送信オフさせる。
【００４５】
図３は、本実施形態におけるエラー発生時の動作を説明するための、より詳しいブロック図である。以下、この図面に基づき説明する。
【００４６】
イコライザ８のフィルタパラメータ値切り替えに関与する構成は、直並列変換器１０ａからの出力信号に対してエラー検出をするとフラグER_DET５２をセットする8B/10Bエラー検出器５１と、コントローラ９によるイコライザ８のフィルタパラメータ値の変更を行うか否かを制御するパラメータ制御部５３と、フィルタパラメータ設定用の設定レジスタ５４とがある。データ再送に関与する構成は、エラー発生時にデータ出力の停止指令を行うCONT_DATOFF制御部５５と、ベースバンド信号処理部１１からデータ出力を停止させるDATOFF機能部５６と、信号処理部５にデータの停止及び再送を要求するデータ転送停止／再送要求制御部５７と、その停止再送要求を受信し指令を行うデータ転送停止／再送指令制御部５８と、データを記憶しておくＲＡＭ部５９とがある。
【００４７】
また、光モジュール７のＯ／Ｅ部７ａは、光受信信号のレベル低下発生時にアサートさせるLOS_DET６０を出力する。コントローラ９は、まずLOS_DET６０を見て、フィルタパラメータの変更を行うか否かを判断する。LOSは、Loss Of Signalの略である。なお、コントローラ９は、機能面から見れば、図１に示される各手段を備えている。
【００４８】
図４及び図５は本実施形態の動作を示し、図４はフローチャート、図５はタイムチャートである。以下、図３乃至図５に基づき、波形補正を実施する動作について説明する。
【００４９】
まず、本システムの装置電源オン又はリセットを実施すると（ステップ１０１）、コントローラ９が光モジュール７に搭載されている内部メモリから、品名、ベンダー等の種別読み込みを実施し（ステップ１０２）、その後に光モジュール７の電気出力特性に対応した固有のフィルタパラメータ値をイコライザ８の設定レジスタ５４に初期設定を行う（ステップ１０３）。この場合、装置立ち上げ前に、設置されている光ケーブルの損失量［ｄＢ］の測定が実施されるため、その光ケーブル出力パワーが閾値より大きいか小さいかで、２種類のフィルタパラメータ値のどちらかを設定する。
【００５０】
システム装置送受信の動作開始後（ステップ１０４）、LOS_DET検出がエラー有りならば（ステップ１０５）、光回線断又は光モジュールの故障と判断し、上位にアラームを報告し（ステップ１０６）、エラー無しならば（ステップ１０５）、次ステップに入る。8B/10Bエラー検出器５１にて8B/10Bエラーが発生しない場合は（ステップ１０７）、通常モードになる（ステップ１０８）。
【００５１】
8B/10Bエラーが発生した場合は（ステップ１０７）、図４のタイミングチャートに示すとおり、まず、コントローラ９がER_DET５２を検知後、CONT_DATOFF制御部５５からDATOFF機能部５６にデータ出力停止を行い（ステップ１０９）、これと同時にコントローラ９からデータ転送停止／再送要求制御部５７にデータ転送停止要求を行う（ステップ１１０）。停止要求のデータは、下り回線ユーザーデータの空き領域に挿入されて、光ファイバ３を通してデータ転送／再送指令制御部５８にて受信される。ＲＡＭ部５９はデータ停止要求を受け、ＲＧ（リードゲート）がネゲートされ（ステップ１１０）、データ出力停止となる。
【００５２】
続いて、ER_DET５２を検知したパラメータ制御部５３が、イコライザ８の設定レジスタ５４に、フィルタパラメータ値Ｋ（ｉ）の変更をかけるよう指令する（ステップ１１１）。書き込み後、前述のデータ停止要求と同様のシーケンスでデータ転送停止／再送要求制御部５７にデータ再送要求を行い（ステップ１１２）、再送要求のデータは信号処理部５のデータ転送／再送指令制御部５８にて受信される。ＲＡＭ部５９はデータ再送要求を受け、ＲＧ（リードゲート）がアサートされ、データ再送開始される（ステップ１１３）。
【００５３】
データ再送のリミット回数をｎ回、用意したフィルタパラメータ値数をｉ個としたとき、ｎ＜ｉ中に8B/10Bエラーが発生しなければ（ステップ１１３）、通常モードに入る（ステップ１０８）。8B/10Bエラーが発生した場合（ステップ１１３）、フィルタパラメータ値を変更し、再書き込み行うため、データ出力停止へ戻り（ステップ１０９）、ｎ＝ｉになっても8B/10Bエラーが発生したならば（ステップ１１３）、データ再送を中断し、上位にアラームを上げる（ステップ１１４）。
【００５４】
図６及び図７は本発明に係る信号伝送システムの第二実施形態を示し、図６はデージーチェーンを利用した全体的な構成を示すブロック図であり、図７は本実施形態の信号伝送システムのより詳しいブロック図である。以下、これらの図面に基づき説明する。
【００５５】
送受信機２ａと送受信機２ｂは、光ファイバ３を通じて無線基地局1にデージーチェーンで接続され、送受信機２ａ，２ｂの受信段イコライザ２０１，２０８にて波形補正を実施させる。
【００５６】
第一実施形態では、無線基地局１の受信段イコライザ８（図３等）で波形補正を実施していた。これに対し、本実施形態では、波形補正を行うブロックは、送受信機２ａの光モジュール６のＯ／Ｅ部６ｂからの電気出力を処理するイコライザ２０１と、送受信機２ｂからの上り信号を光モジュール２０２のＯ／Ｅ部２０２ｂにて光電変換された受信信号を処理するイコライザ２０３とである。8B/10Bエラー検出器２０４，２０５において、8B/10Bエラーが発生した場合は、コントローラ２０６は、ER_DAT２０７，２０８を検出して、イコライザ２０１，２０３のフィルタパラメータ値を書き換えを行い、第一実施形態と同様、再送リトライ方式のシーケンスを用いてシステム動作させる。また、光モジュール６ａ，２０２ｂにてフラグされるLOS_DET２０９,２１０は、それぞれコントローラ２０６で制御される。なお、コントローラ２０６は、機能面から見れば、図１に示される各手段を備えている。
【図面の簡単な説明】
【００５７】
【図１】本発明に係るイコライザ制御装置の一実施形態を示すブロック図である。
【図２】図１のイコライザ制御装置を用いた信号伝送システムの第一実施形態を示すブロック図である。
【図３】図２の信号伝送システムのより詳しいブロック図である。
【図４】図３の信号伝送システムの動作を示すフローチャートである。
【図５】図３の信号伝送システムの動作を示すタイムチャートである。
【図６】図１のイコライザ制御装置を用いた信号伝送システムの第二実施形態を示すブロック図である。
【図７】図６の信号伝送システムのより詳しいブロック図である。
【図８】従来の信号伝送システムを示すブロック図である。
【図９】図８の信号伝送システムのより詳しいブロック図である。
【図１０】図８の信号伝送システムの動作を示すフローチャートである。
【符号の説明】
【００５８】
１  無線基地局
２  送受信機
３  光ファイバ
４  無線部
５  信号処理部
６  光モジュール
７  光モジュール
８  イコライザ
９  コントローラ（イコライザ制御装置）
９１  受信レベル入力手段
９２  フィルタパラメータ値決定手段
９３  フィルタパラメータ値出力手段
１０  直並列／並直列変換器
１１  ベースバンド信号処理部
５１  8B/10Bエラー検出器（エラー検出手段）
５２  ER_DET
５３  パラメータ制御部
５４  設定レジスタ
５５  CONT_DATOFF制御部
５６  DATOFF機能部
５７  データ転送停止／再送要求制御部
５８  データ転送停止／再送要指令制御部
５９  ＲＡＭ部
６０  LOS_DET
２０１  イコライザ
２０２  光モジュール
２０３  イコライザ
２０４  8B/10Bエラー検出器（エラー検出手段）
２０５  8B/10Bエラー検出器（エラー検出手段）
２０６  コントローラ（イコライザ制御装置）
２０７  ER_DAT
２０８  ER_DAT
２０９  LOS_DET
２１０  LOA_DET
【図１】
2007243802.tif 000003
【図２】
2007243802.tif 000004
【図３】
2007243802.tif 000005
【図４】
2007243802.tif 000006
【図５】
2007243802.tif 000007
【図６】
2007243802.tif 000008
【図７】
2007243802.tif 000009
【図８】
2007243802.tif 000010
【図９】
2007243802.tif 000011
【図１０】
2007243802.tif 000012